(57)【要約】【課題】座面部分を傾けるチルト動作が行われても座面マットが外れ難い入浴用車椅子を提供する。【解決手段】入浴用車椅子１は、第１のフレーム２１と、第１のフレーム２１に対して傾斜可能に設けられる第２のフレーム２２と、第１のフレーム２１に沿って移動可能に設けられる可動部３０と、第２のフレーム２２及び可動部３０に対して固定される座面マット２７と、を備える。【選択図】図２
2015217022.tif 000002
【特許請求の範囲】
【請求項１】
第１のフレームと、
前記第１のフレームに対して傾斜可能に設けられる第２のフレームと、
前記第１のフレームに沿って移動可能に設けられる可動部と、
前記第２のフレーム及び前記可動部に対して固定される座面マットと、
を備えることを特徴とする入浴用車椅子。
【請求項２】
前記可動部は、前記第１のフレームにスライド移動可能に支持される第１の座面板であり、
前記第２のフレームには、前記第１の座面板に並列配置される第２の座面板が固設され、
前記座面マットは、前記第１の座面板及び前記第２の座面板に固定具によって固定されることを特徴とする請求項１に記載の入浴用車椅子。
【請求項３】
前記第１の座面板には、当該座面板を前記第１のフレームに対して移動可能に保持する保持部が設けられることを特徴とする請求項２に記載の入浴用車椅子。
【請求項４】
前記第１の座面板と前記第１のフレームとの間には滑り材が配置されることを特徴とする請求項２又は３に記載の入浴用車椅子。
【請求項５】
前記可動部の移動を規制する移動規制手段を更に備えることを特徴とする請求項１から４のいずれかに記載の入浴用車椅子。
【請求項６】
前記第１のフレーム、前記第２のフレーム、前記可動部、前記座面マット、及び、前記座面マットに臀部を載せる者が凭れかかる背凭れ部を含む椅子部と、
前記椅子部を分離可能に支持すると共に車輪を有する台車部と、
を備えることを特徴とする請求項１から５のいずれかに記載の入浴用車椅子。
【発明の詳細な説明】
【技術分野】
【０００１】
本発明は、例えば高齢者や身体障害者等の介助が必要な者（要介助者）を入浴させるのに好適な入浴用車椅子に関する。
【背景技術】
【０００２】
従来、老人や身体障害者等の要介助者を入浴させる場合に、入浴用の車椅子が使用されている。例えば特許文献１や２に開示されるように、入浴用車椅子の中には、座面部分を傾ける機構（チルト機構）を有するものがある。当該チルト機構は、例えば、入浴中の要介助者を椅子部（座面部分と背もたれ部分とを含む）から脱落し難くするといった目的等で設けられている。
【先行技術文献】
【特許文献】
【０００３】
【特許文献１】特開２００６−２３９０２５号公報
【特許文献２】特開平５−１２３３６２号公報
【発明の概要】
【発明が解決しようとする課題】
【０００４】
図７は、チルト機構を備える従来の入浴用車椅子１００の構成例を示す概略側面図である。図７（ａ）は、車椅子に入浴者を載せて搬送する場合の使用状態を示し、図７（ｂ）は、図７（ａ）の使用状態から、チルト機構を利用して座面部分（より正確には座面部分の一部；この点は後述の内容から明らかになる）が傾けられた状態（チルト状態）を示している。
【０００５】
図７に示すように、入浴用車椅子１００は、車輪１１を有する台車部１０と、台車部１０上に分離可能に配置される椅子部２０と、を備える。椅子部２０は、台車部１０に分離可能に取り付けられる第１のフレーム２１と、第１フレーム２１に対して回動可能（傾斜可能）に支持される第２のフレーム２２と、を備えている。
【０００６】
第１のフレーム２１には、ローラー２３が設けられ、当該ローラー２３が台車部１０の上部に設けられるレール部１２に沿って転がることによって、椅子部２０は台車部１０から分離する。分離された椅子部２０が浴槽（不図示）に受け入れられることによって、入浴者は、椅子部２０ごと浴槽の湯に浸かる。なお、椅子部２０は、図７において紙面と垂直な方向に移動可能に設けられている。
【０００７】
図８は、従来の入浴用車椅子１００の椅子部２０を抽出して示した概略側面図である。図８（ａ）は、車椅子に入浴者を載せて搬送する場合の使用状態を示し、図８（ｂ）は上述のチルト状態を示す。なお、第２のフレーム２２が支軸２４を中心として第１のフレーム２１に対して回動することによって、上述のチルト状態が得られる。
【０００８】
図８に示すように、第１のフレーム２１上には、第１の座面板２５が固設されている。また、第２のフレーム２２上には、第１の座面板２５より前方となる位置（座面部分に座る者を基準とした表現）に並列配置される第２の座面板２６が固設されている。なお、図８（ａ）に示す状態では、第１の座面板２５及び第２の座面板２６は、その板面が略水平状態になっている。第１の座面板２５及び第２の座面板２６上には、座面マット２７が複数の固定ピン２８を利用して固定されている。この座面マット２７が配置される部分が、入浴者が臀部を載せる座面部分になる。固定ピン２８は、座面マット２７及び座面板２５、２６を貫通し、座面板２５、２６の裏面（下面）側に配置されるピン受け２８ａによって保持される。
【０００９】
なお、入浴用車椅子１００においては、座面部分が１つの座面板ではなく、互いに別々のフレーム２１、２２に取り付けられる２つの座面板２５、２６を用いて構成されている。図８（ｂ）に示すように、チルト状態では、第２の座面板２６は、その板面が水平から傾いた状態になるが、第１の座面板２５は、その板面が水平状態のまま維持される。このように座面部分を構成すると、座面部分に座った者の一部の体重を台車部１０にかけながら、座面部分（正確にはその一部）を傾けたチルト状態を得ることができる。このために、軽い操作力でチルト状態を得られる。
【００１０】
ところで、チルト状態では、座面マット２７のうち、第２の座面板２６に固定された部分は第２のフレーム２２の回動と共に回動するが、第１の座面板２５に固定された部分は第２のフレーム２２が回動しても動かない。このために、チルト状態では、座面マット２７が撓んで（折れ曲がって）固定ピン２８に応力が加わる。固定ピン２８に応力が加わると、例えば、固定ピン２８がピン受け２８ａから外れたり、座面マット２７に亀裂が生じたりして、座面マット２７が椅子部２０から外れてしまうことが懸念される。座面マット２７が椅子部２０から外れてしまうと、入浴時において、座面マット２７と共に入浴者の体が浮いて入浴者の姿勢が不安定になる可能性があり、改善の余地がある。
【００１１】
上記入浴用車椅子１００において、固定ピン２８が貫通する穴（座面マット２７及び座面板２５、２６に設けられる）の少なくとも一部の形状を長穴形状とすることが考えられる。このようにすれば、固定ピン２８に対する応力を低減可能である。しかしながら、座面マット２７に作用する浮力はかなり大きいために、上記長穴形状を採用する構成では、座面マット２７の固定が不十分になることが懸念される。
【００１２】
以上の点に鑑みて、本発明の目的は、座面部分を傾けるチルト動作が行われても座面マットが外れ難い入浴用車椅子を提供することである。
【課題を解決するための手段】
【００１３】
上記目的を達成するために本発明の入浴用車椅子は、第１のフレームと、前記第１のフレームに対して傾斜可能に設けられる第２のフレームと、前記第１のフレームに沿って移動可能に設けられる可動部と、前記第２のフレーム及び前記可動部に対して固定される座面マットと、を備える構成（第１の構成）になっている。
【００１４】
本構成によれば、第１のフレームに対して第２のフレームが傾けられた場合に、座面マットに撓み（折れ曲がり）が発生する。ただし、可動部が第１のフレームに沿って移動できるために、座面マットを固定する部分に余計な力（前述の撓みが原因となって生じる力）が作用することを軽減できる。このために、座面マットを固定する固定具が外れたり、座面マットに亀裂が生じたりすることを避けられる。
【００１５】
上記第１の構成の入浴用車椅子において、前記可動部は、前記第１のフレームにスライド移動可能に支持される第１の座面板であり、前記第２のフレームには、前記第１の座面板に並列配置される第２の座面板が固設され、前記座面マットは、前記第１の座面板及び前記第２の座面板に固定具によって固定される構成（第２の構成）であってよい。本構成によれば、座面マットを固定する座面板を複数に分割し、分割した座面板を互いに異なるフレームに固定することによって、一部の座面板のみが傾斜する構造を採用している。このような構造を採用すると、座面部分をチルトする操作を楽にし易い。また、本構成のように、座面マットを座面板に固定する構成とすると、固定具を複数位置に配置できるために、座面マットの固定を確実なものにし易い。
【００１６】
上記第２の構成の入浴用車椅子において、前記第１の座面板には、当該座面板を前記第１のフレームに対して移動可能に保持する保持部が設けられる構成（第３の構成）が採用されてよい。前記保持部は、前記第１の座面板を折り曲げ加工して得てもよいし、前記第１の座面板に別部材を取り付けることによって得てもよい。なお、場合によっては、前記第１の座面板を移動可能に保持する保持部は、前記第１のフレーム側に設けられてもよい。
【００１７】
上記第２又は第３の構成の入浴用車椅子において、前記第１の座面板と前記第１のフレームとの間には滑り材が配置される（第４の構成）のが好ましい。本構成によれば、第１の座面板を第１のフレームに対してスムーズにスライド移動することができる。
【００１８】
上記第１から第４のいずれかの構成の入浴用車椅子は、前記可動部の移動を規制する移動規制手段を更に備える構成（第５の構成）であるのが好ましい。本構成によれば、可動部の移動範囲を適切として、座面マットの外れや、座面マットに亀裂が生じる事態をより確実に防止できる。
【００１９】
上記第１から第５のいずれかの構成の入浴用車椅子は、前記第１のフレーム、前記第２のフレーム、前記可動部、前記座面マット、及び、前記座面マットに臀部を載せる者が凭れかかる背凭れ部を含む椅子部と、前記椅子部を分離可能に支持すると共に車輪を有する台車部と、を備える構成（第６の構成）であってよい。本構成によれば、椅子部のみを浴槽に入れることができるので便利である。
【発明の効果】
【００２０】
本発明によれば、座面部分を傾けるチルト動作が行われても座面マットが外れ難い入浴用車椅子を提供できる。
【図面の簡単な説明】
【００２１】
【図１】本発明の実施形態に係る入浴用車椅子の構成を示す概略上面図
【図２】本発明の実施形態に係る入浴用車椅子の座面部分の構造を説明するための概略上面図
【図３】図２のＡ−Ａ位置における概略断面図
【図４】本発明の実施形態に係る入浴用車椅子が備える第１の座面板（可動部）の作用を説明するための概略平面図
【図５】本発明の実施形態に係る入浴用車椅子が備える、第１の座面板の移動を規制する手段について説明するための概略側面図
【図６】本発明の実施形態に係る入浴用車椅子が備える、第１の座面板を第１のフレームに対して移動可能に保持する保持部の変形例を説明するための概略断面図
【図７】チルト機構を備える従来の入浴用車椅子の構成例を示す概略側面図
【図８】従来の入浴用車椅子の椅子部を抽出して示した概略側面図
【発明を実施するための形態】
【００２２】
以下、本発明の実施形態に係る入浴用車椅子について、図面を参照しながら詳細に説明する。なお、本発明の実施形態に係る入浴用車椅子は、上述した従来の入浴用車椅子１００（図７及び図８参照）と多くの部分が共通している。共通する部分には同一の符号を付し、特に説明の必要がない場合には、その説明を省略する。
【００２３】
図１は、本発明の実施形態に係る入浴用車椅子１の構成を示す概略上面図である。入浴用車椅子１は、車輪１１を有する台車部１０（図７参照）と、台車部１０に分離可能に支持される椅子部２０と、を備えている。入浴時においては、台車部１０から分離された椅子部２０が、浴槽に設けられる椅子受け部（いずれも不図示）に移送され、入浴者は椅子部２０ごと浴槽内の湯に浸かる。
【００２４】
図１に示すように、椅子部２０は、入浴者が座る座面部分となる座面マット２７と、座面マット２７に臀部を載せた入浴者が凭れかかる背凭れ部２９と、を備えている。座面マット２７は、固定ピン２８とピン受け２８ａ（本発明の固定具の一例）とを利用して椅子部２０を構成する部材に固定されている。座面マット２７は、クッション性が良く、吸水性の低い発泡性の物質で形成するのが好ましく、例えばＥＶＡ（Ethylene-Vinyl Acetate）樹脂等によって形成される。
【００２５】
その他、椅子部２０には、図１に示すように、椅子部２０に座った入浴者が足を載せる足載せ部２０１、椅子部２０に座った入浴者が把持する把持部２０２、及び、介助者が入浴用車椅子１を操作するためのハンドル部２０３等が備えられている。
【００２６】
図２は、本発明の実施形態に係る入浴用車椅子１の座面部分の構造を説明するための概略上面図である。なお、図２は、座面マット２７が椅子部２０から取り外された状態を想定している。図２に示すように、入浴者が臀部を載せる座面部分は、第１のフレーム２１に沿ってスライド移動可能に設けられる第１の座面板３０と、第１の座面板３０に並ぶように第２のフレーム２２に固設される第２の座面板２６と、を用いて構成されている。座面マット２７は、第１の座面板３０及び第２の座面板２６を覆うように配置され、各座面板２６、３０に固定ピン２８及びピン受け２８ａの組を複数用いて固定される。
【００２７】
なお、第１のフレーム２１は、台車部１０に移動可能に取り付けられる。また、第２のフレーム２２は、第１のフレーム２１に回動可能に支持されている（すなわち、入浴用車椅子１はチルト機構を備える）。また、第１の座面板３０及び第２の座面板２６には、それぞれ、固定ピン２８を挿通するための貫通穴Ｈが形成されている。貫通穴Ｈのサイズは、固定ピン２８の貫通穴Ｈに挿通される部分の径とほぼ同じになっている。固定ピン２８の上部は、貫通穴Ｈのサイズよりもかなり大きく設けられている。
【００２８】
また、第１の座面板３０は、本発明の可動部の一例である。この第１の座面板３０は、従来の入浴用車椅子１００における第１のフレーム２１に固設される第１の座面板２５とは構成が異なる。
【００２９】
図３は、図２のＡ−Ａ位置における概略断面図である。図３に示すように、第１の座面板３０の裏面（下面）側には、第１の座面板３０が第１のフレーム２１から外れないように保持すると共に、第１の座面板３０を第１のフレーム２１に対して移動可能に保持する一対の保持部３１、３１が設けられている。
【００３０】
第１の座面板３０と第１のフレーム２１との間、及び、第１の座面板３０と保持部３１との間には、には、適宜、滑り材３２が配置されている。滑り材３２は、第１の座面板３０を第１のフレーム２１に対して滑り易くする素材のものであればよく、例えばＰＯＭ（ポリアセタール）等によって形成される。また、滑り材３２は、第１のフレーム２１に固定されてよいが、第１の座面板３０や保持部３１に固定されてもよい。
【００３１】
なお、本実施形態においては、補強等の目的で、第１のフレーム２１には補強バー２１ａが取り付けられている（図２も参照）。そして、第１のフレーム２１に対する第１の座面板３０の滑りを良くすることを狙って、第１の座面板３０と補強バー２１ａとの間にも滑り材３２が配置されている。
【００３２】
図４は、本発明の実施形態に係る入浴用車椅子１が備える第１の座面板３０（可動部）の作用を説明するための概略平面図である。図４（ａ）は、入浴用車椅子１の第２の座面板２６が水平状態である場合（すなわち、入浴用車椅子１がチルト状態にされていない場合）における第１の座面板３０の状態を示している。
【００３３】
チルト機構を利用して水平状態にある第２の座面板２６を水平状態から傾けると、２つの座面板２６、３０に固定される座面マット２７に撓み（折れ曲がり）が発生する。この撓みが発生すると、当該座面マット２７が固定される第１の座面板３０に力が加わる。第１の座面板３０は第１のフレーム２１に対してスライド可能に設けられているために、第１の座面板３０に加わる力によって、図４（ｂ）に矢印Ｂで示すようにスライド移動を行う。この結果、座面マット２７の撓みが低減され、座面マット２７を固定する固定ピン２８に加わる余計な力を低減できる。このために、チルト状態にした時に、固定ピン２８が外れることを防止できる。
【００３４】
以上からわかるように、本実施形態の入浴用車椅子１によれば、座面マット２７が椅子部２０から外れるのを防止できるために、入浴時に入浴者の姿勢が不安定になり難い。また、固定ピン２８が抜けることによって入浴者が怪我をすることも防止できる。更に、本実施形態の構成によれば、チルト状態にした後に、入浴者の体を後方にずらす場合にも、座面マット２７の一部を第１の座面板３０と共に後方に移動できる。このために、当該体の移動時に固定ピン２８に余計な負荷を与えることを防止できる。
【００３５】
なお、第１の座面板３０が移動可能な範囲（例えば１０ｍｍ程度でよい）が大きすぎすると、逆に、固定ピン２８に対して余計な負荷がかかる可能性がある。このために、図５に示すように、第１の座面板３０の移動を規制する移動規制手段３３を設けて、第１の座面板３０の移動を適切な範囲に限定するのが好ましい。移動規制手段３３は、例えば、第１のフレーム２１に取り付けられるネジ等であってよい。また、バネ等の弾性部材が利用されてもよい。なお、図５に示す例では、第１の座面板３０の前方への移動は第２の座面板２６によって規制されるので、後方への移動を規制する手段のみを配置している。
【００３６】
以上に示した実施形態は、本発明の例示にすぎない。以上に示した実施形態の構成は、本発明の技術的思想を超えない範囲で適宜変更されて構わない。
【００３７】
例えば、以上に示した実施形態では、座面マット２７を固定する固定具として、固定ピン２８及びピン受け２８ａの組を利用する構成とした。しかし、固定具の種類はこれに限らず、座面マット２７を固定する固定具は、ネジ単独（この場合には、例えば座面板２６、３０にネジ孔が設けられる）や、ネジ及びナットの組等であってもよい。
【００３８】
また、以上に示した実施形態では、第１の座面板３０の裏面に、第１の座面板３０と異なる部品を取り付けることによって保持部３１を得る構成とした。この構成に限らず、例えば、図６に示すように、保持部３１は、第１の座面板３０の端部を折り曲げることによって得る構成等としてもよい。なお、図６は、図３と同様の位置における断面図を想定している。また、場合によっては、第１の座面板３０を第１のフレーム２１対して移動可能に保持する保持部は、第１のフレーム２１側に設けられても構わない。
【００３９】
また、以上に示した実施形態では、座面マット２７が、第１の座面板３０及び第２の座面板２６に固定される構成とした。しかし、この構成に限らず、例えば、座面マット２７は、第１のフレーム２１に沿って移動可能に設けられる棒状の可動部と、第２のフレーム２２とに取り付けられる構成等としても構わない。
【００４０】
また、以上に示した実施形態においては、第１のフレーム２１に対して第１の座面板３０がスライド移動し易いように滑り材３２を利用したが、これに限らず、例えば、ローラー等が利用されても構わない。
【００４１】
また、以上に示した実施形態においては、入浴用車椅子が、台車部１０と、台車部１０に対して分離可能な椅子部２０と、を備える構成とした。しかしながら、本発明は、台車部分と椅子部分とが分離しないタイプの入浴用車椅子（この場合は、入浴用車椅子の全体、或いは、一部が浴槽に入れられる）に適用されても構わない。本発明は、座面部分をチルトさせる機構を備える入浴用車椅子に広く適用可能である。
【符号の説明】
【００４２】
１  入浴用車椅子
１０  台車部
２０  椅子部
２１  第１のフレーム
２２  第２のフレーム
２６  第２の座面板
２７  座面マット
２８  固定ピン（固定具）
２８ａ  ピン受け（固定具）
２９  背凭れ部
３０  第１の座面板（可動部）
３１  保持部
３２  滑り材
３３  移動規制手段
【図１】
2015217022.tif 000003
【図２】
2015217022.tif 000004
【図３】
2015217022.tif 000005
【図４】
2015217022.tif 000006
【図５】
2015217022.tif 000007
【図６】
2015217022.tif 000008
【図７】
2015217022.tif 000009
【図８】
2015217022.tif 000010